(57)【要約】  このエレベーターの乗りかごパネルは、補強部材の一端部には、第１のフックが形成され、第１の折返し部に前記第１のフックが係止する第１の孔が形成されているので、補強部材のパネル本体に対する位置決め、取付けを、専用設備を必要とせず、簡単な作業で行うことができる。
2017022075.tif 000002
【特許請求の範囲】
【請求項１】
周囲を囲ってかご室を形成するパネル本体と、
このパネル本体の前記かご室の外側の面である裏面に前記パネル本体の一端部から他端部にわたって延びて設けられ前記パネル本体を補強する補強部材と、を備え、
前記パネル本体の、前記一端部及び前記他端部には、前記裏面側に折返された、第１の折返し部及び第２の折返し部が形成され、
前記補強部材の一端部または前記第１の折返し部の一方には、第１のフックが形成され、
前記補強部材の一端部または前記第１の折返し部の他方には、前記第１のフックが係止する第１の孔が形成されているエレベーターの乗りかごパネル。
【請求項２】
前記補強部材の他端部または前記第２の折返し部の一方には、第２のフックが形成され、
前記補強部材の他端部または前記第２の折返し部の他方には、前記第２のフックが係止する第２の孔が形成されている請求項１に記載のエレベーターの乗りかごパネル。
【請求項３】
前記補強部材は、前記第１の折返し部から前記第２の折返し部に向かって延びて形成された溝部、及びこの溝部の両側にそれぞれ形成された第１の鍔部及び第２の鍔部を有する断面ハット形状であって、
前記第１のフックは、前記第１の鍔部の一端部に形成されている請求項１または２に記載のエレベーターの乗りかごパネル。
【請求項４】
前記第１のフックは、前記第２の鍔部の一端部にも形成されている請求項３に記載のエレベーターの乗りかごパネル。
【請求項５】
前記補強部材は、前記第１の折返し部から前記第２の折返し部に向かって延びて形成された溝部、及びこの溝部の両側に形成された第１の鍔部及び第２の鍔部を有する断面ハット形状であって、
前記第２のフックは、前記第１の鍔部の他端部に形成されている請求項２に記載のエレベーターの乗りかごパネル。
【請求項６】
前記第２のフックは、前記第２の鍔部の他端部にも形成されている請求項５に記載のエレベーターの乗りかごパネル。
【請求項７】
前記第１のフック及び前記第２のフックは、前記第１の折返し部と前記第２の折返し部とを結ぶ仮想線に対して傾斜し、かつ互いに平行に対向して前記第１の孔及び前記第２の孔にそれぞれ係止している請求項５または６に記載のエレベーターの乗りかごパネル。
【請求項８】
前記かご室での前記第１の折返し部は、前記第２の折返し部に対して上側にあり、
前記第１のフック及び前記第２のフックは、それぞれの先端部が下側に指向している請求項７に記載のエレベーターの乗りかごパネル。
【請求項９】
前記補強部材の前記溝部の底部と前記パネル本体とは、接合手段により接合されている請求項３〜８の何れか１項に記載のエレベーターの乗りかごパネル。
【請求項１０】
前記接合手段は、両面テープである請求項９項に記載のエレベーターの乗りかごパネル。
【請求項１１】
前記補強部材は、前記パネル本体の中間部に設けられている請求項１〜１０の何れか１項に記載のエレベーターの乗りかごパネル。
【発明の詳細な説明】
【技術分野】
【０００１】
この発明は、周囲を囲ってかご室を形成するパネル本体を補強する補強部材を備えたエレベーターの乗りかごパネルに関する。
【背景技術】
【０００２】
従来、断面Ｕ字状の細長な補強部材をエレベーターのパネル本体の裏面に接着剤で取付けるとともに、その補強部材を、前記パネル本体の上下端の折り返し部分に打ち抜き折り曲げ加工で形成した爪で位置決め、固定したエレベーターの乗りかごパネルが知られている（例えば、特許文献１参照）。
【先行技術文献】
【特許文献】
【０００３】
【特許文献１】特開平１−３４８８４号公報
【発明の概要】
【発明が解決しようとする課題】
【０００４】
上記エレベーターの乗りかごパネルでは、補強部材をパネル本体に位置決めする爪を金型を用いて打ち抜き加工で形成しており、パネル本体に補強部材を位置決めして取付けるのに手間がかかるとともに、取付けるための専用設備を必要とし、コストが嵩むという問題点があった。【０００５】
この発明は、かかる問題点を解決することを課題とするものであって、補強部材のパネル本体に対する位置決め、取付けを、専用設備を必要とせず、簡単な作業で行うことができるエレベーターの乗りかごパネルを得ることを目的とする。
【課題を解決するための手段】
【０００６】
この発明に係るエレベーターの乗りかごパネルは、
周囲を囲ってかご室を形成するパネル本体と、
このパネル本体の前記かご室の外側の面である裏面に前記パネル本体の一端部から他端部にわたって延びて設けられ前記パネル本体を補強する補強部材と、を備え、
前記パネル本体の、前記一端部及び前記他端部には、前記裏面側に折返された、第１の折返し部及び第２の折返し部が形成され、
前記補強部材の一端部または前記第１の折返し部の一方には、第１のフックが形成され、
前記補強部材の一端部または前記第１の折返し部の他方には、前記第１のフックが係止する第１の孔が形成されている。
【発明の効果】
【０００７】
この発明に係るエレベーターの乗りかごパネルによれば、補強部材の一端部または第１の折返し部の一方には、第１のフックが形成され、前記補強部材の一端部または前記第１の折返し部の他方には、前記第１のフックが係止する第１の孔が形成されているので、補強部材のパネル本体に対する位置決め、取付けを、専用設備を必要とせず、簡単な作業で行うことができる。
【図面の簡単な説明】
【０００８】
【図１】この発明の実施の形態１のエレベーターの乗りかごパネルを示す斜視図である。
【図２】図１のＩＩ−ＩＩ線に沿った矢視断面図である。
【図３】図１の分解斜視図である。
【図４】この発明の実施の形態２のエレベーターの乗りかごパネルを示す斜視図である。
【図５】この発明の実施の形態３のエレベーターの乗りかごパネルを示す斜視図である。
【発明を実施するための形態】
【０００９】
以下、この発明の各実施の形態のエレベーターの乗りかごパネルについて、図に基いて説明するが、各図において同一または相当部材、部位については、同一符号を付して説明する。
【００１０】
実施の形態１．
図１は、この発明の実施の形態１のエレベーターの乗りかごパネル１（以下、乗りかごパネルと略称する。）を示す斜視図、図２は、図１のＩＩ−ＩＩ線に沿った矢視断面図、図３は、図１の分解斜視図である。
エレベーターの乗りかごは、薄い鉄板の周辺を折曲して形成した長方形の乗りかごパネル１を繋ぎ合わせてかご室を構成している。
この乗りかごパネル１は、かご室の各壁面において、一枚、または複数枚配置される。
乗りかごパネル１は、パネル本体２と、パネル本体２のかご室の外側の面である裏面の中央部に長手方向に延びた補強部材３と、を備えている。
パネル本体２は、パネル本体２の周縁部については折曲されて十分な強度を有するが、中央部については薄い鉄板のみの場合、凹部や、歪が生じてしまう。
補強部材３は、パネル本体２の裏面の中央部に設けることで、パネル本体２の中央部を補強し、凹部や、歪の発生を防止している。
【００１１】
長方形のパネル本体２は、パネル本体２の長手方向の両側に、裏面側にそれぞれＬ字形状に折返された第１の折返し部４、第２の折返し部５がそれぞれ設けられており、短手方向の両側にも裏面側にそれぞれＬ字形状に折曲された第１の折曲部６、第２の折曲部７が設けられている。
パネル本体２の上側の第１の折返し部４には、パネル本体２の短手方向に延びた長孔の第１の孔８が形成されている。パネル本体２の下側の第２の折返し部５には、第１の孔８と対向してパネル本体２の短手方向に延びた長孔の第２の孔９が形成されている。
なお、ここで、パネル本体２の上側、下側は、乗りかごパネル１がかご室を構成したときの位置関係で規定している。
【００１２】
補強部材３は、断面ハット形状であって、パネル本体２の長手方向に延びた溝部１０と、この溝部１０の両側にそれぞれ水平方向に延びた、第１の鍔部１１及び第２の鍔部１２と、を有している。
第１の鍔部１１は、上側端部、下側端部にそれぞれパネル本体２の短手方向に沿って延びた曲げ部を有する、第１のフック１３及び第２のフック１４が打ち抜き、または折り曲げ加工により形成されている。
パネル本体２側に折曲された第１のフック１３及び第２のフック１４は、第１の折返し部４と第２の折返し部５とを結ぶ仮想線に対して傾斜し、かつ互いに平行に対向している。そして、第１のフック１３及び第２のフック１４は、それぞれ第１の折返し部４の第１の孔８及び第２の折返し部５の第２の孔９にそれぞれ係止している。
第２の鍔部１２は、上側端部が、第１の折返し部４の表面に当接し、下側端部が、第２の折返し部５の表面に当接している。
なお、ここで、補強部材３の上側、下側は、乗りかごパネル１がかご室を構成したときの位置関係で規定している。
【００１３】
上記乗りかごパネル１は、次の手順でパネル本体２に補強部材３が接合される。
先ず、予め補強部材３の溝部１０の底部の裏面の全域に接合手段である両面テープ１５を接着する。
その後、補強部材３の第１のフック１３の先端部をパネル本体２の第１の孔８に、補強部材３の第２のフック１４の先端部をパネル本体２の第２の孔９に合わせ、引き続き補強部材３を斜め下方向に移動させ、補強部材３をパネル本体２の裏面に両面テープ１５を介して接合する。
【００１４】
上記実施の形態の乗りかごパネル１によれば、補強部材３の第１のフック１３を第１の折返し部４の第１の孔８に係止することで、補強部材３をパネル本体２に対して簡単に位置決め、取付けることができる。
【００１５】
また、補強部材３の溝部１０の底部とパネル本体２とは、両面テープ１５により接合されており、予め両面テープ１５の片面を補強部材３の溝部１０の底部に接着させることで、補強部材３をパネル本体２に対して位置決め、取付けた際に、同時に補強部材３をパネル本体２の裏面に接合することができ、作業性が向上する。
【００１６】
また、補強部材３の第１のフック１３及び第２のフック１４は、第１の折返し部４及び第２の折返し部５に対して傾斜し、かつ互いに平行に対向してそれぞれ第１の孔８及び第２の孔９に係止している。
従って、補強部材３の第１のフック１３の先端部をパネル本体２の第１の孔８に、補強部材３の第２のフック１４の先端部をパネル本体２の第２の孔９に合わせ、引き続き補強部材３を下斜め方向に移動させることで、補強部材３をパネル本体２に円滑に取り付けることができる。
また、上側の第１の折返し部４に係止した第１のフック１３は、先端部が下向きに指向しているので、例えば両面テープ１５が劣化し、または剥がれた場合であっても、補強部材３がパネル本体２から落下、離脱することはない。
【００１７】
また、補強部材３は、パネル本体２の中間部であって、パネル本体２の長手方向に沿って第１の折返し部４と第２の折返し部５との間にわたって設けられ、パネル本体２の凹部や、歪の発生が生じ易い部位が集中的に補強部材３で補強されており、パネル本体２の凹部や、歪の発生を効率良く防止することができる。
【００１８】
実施の形態２．
図４は、この発明の実施の形態２の乗りかごパネル１を示す斜視図である。
この実施の形態では、第１の鍔部１１は、補強部材３の上側端部、下側端部にそれぞれパネル本体２の長手方向に沿って延びた曲げ部を有する、第１のフック１３Ａ及び第２のフック１４Ａが形成されている。
パネル本体２側に折曲された第１のフック１３Ａ及び第２のフック１４Ａは、パネル本体２の長手方向に延びた同一線上に形成されている。
第１のフック１３Ａが挿入された第１の孔８Ａは、パネル本体２の長手方向に延びた長孔である。
第２のフック１４Ａが挿入された第２の孔９Ａは、パネル本体２の長手方向に延びた長孔である。
その他の構成は、実施の形態１の乗りかごパネル１と同じである。
【００１９】
この実施の形態の乗りかごパネル１によれば、補強部材３の第１のフック１３Ａの先端部をパネル本体２の第１の孔８Ａに、補強部材３の第２のフック１４Ａの先端部をパネル本体２の第２の孔９Ａに合わせ、引き続き補強部材３を横斜め下方向に移動させることで、補強部材３をパネル本体２に円滑に取り付けることができる。
【００２０】
実施の形態３．
図５は、この発明の実施の形態３の乗りかごパネル１を示す斜視図である。
この実施の形態では、第２の鍔部１２は、補強部材３の上側端部、下側端部にそれぞれパネル本体２の短手方向に沿った曲げ部を有する、第１のフック１６及び第２のフック１７が形成されている。
パネル本体２側に折曲された第１のフック１６及び第２のフック１７は、互いに平行に対向し、かつそれぞれ第１の折返し部４の第１の孔１８及び第２の折返し部５の第２の孔１９に係止する。
第１の孔１８及び第２の孔１９も、第１の孔８及び第２の孔９と同様に、パネル本体２の短手方向に延びた長孔である。
その他の構成は、実施の形態１の乗りかごパネル１と同じである。
【００２１】
この実施の形態の乗りかごパネル１によれば、補強部材３は、パネル本体２に第１のフック１３，１６及び第２のフック１４，１７の４箇所で係止されており、実施の形態１の乗りかごパネル１と比較して、それだけ補強部材３をパネル本体２に強固に取り付けることができる。
【００２２】
なお、上記各実施の形態では、第１のフック１３，１３Ａ，１６及び第２のフック１４，１４Ａ，１７は、補強部材３に形成したが、第１のフック及び第２のフックをパネル本体の第１の折返し部及び第２の折返し部にそれぞれ形成し、この第１のフック及び第２のフックが係止する孔を補強部材の両端部にそれぞれ形成してもよい。
また、第１のフック１３，１３Ａ，１６のみを補強部材３の一端部に形成し、この第１のフック１３，１３Ａ，１６が係止する第１の孔８，８Ａ，１８を第１の折返し部４のみに形成してもよい。
また、第１のフックのみを第１の折返し部に形成し、この第１のフックが係止する第１の孔を補強部材の一端部のみに形成してもよい。
また、第１の折返し部４及び第２の折返し部５は、パネル本体２の一端部、他端部をＬ字形状に折曲して形成されたが、第１の折返し部４及び第２の折返し部５に相当する、Ｌ字形状の部品を別途製造し、この部品をパネル本体部に接合してパネル本体を形成してもよい。
【００２３】
また、補強部材３は、パネル本体２の中間部に１本設けたが、例えば補強部材を並列に複数本設けるようにしてもよい。
また、かご室を構成した乗りかごパネルにおいて、横方向に延びた補強部材を設けるようにしてもよい。
また、一対の補強部材をパネル本体２の裏面に十字状または×状に設けるようにしてもよい。
また、接合手段として両面テープ１５を用いたが、両面テープ１５の代りに接着剤、または溶接でパネル本体に補強部材を接合するようにしてもよい。
【符号の説明】
【００２４】
１  エレベーターの乗りかごパネル、２  パネル本体、３  補強部材、４  第１の折返し部、５  第２の折返し部、６  第１の折曲部、７  第２の折曲部、８，１８  第１の孔、９，１９  第２の孔、１０  溝部、１１  第１の鍔部、１２  第２の鍔部、１３，１３Ａ，１６  第１のフック、１４，１４Ａ，１７  第２のフック、１５  両面テープ（接合手段）。
【図１】
2017022075.tif 000003
【図２】
2017022075.tif 000004
【図３】
2017022075.tif 000005
【図４】
2017022075.tif 000006
【図５】
2017022075.tif 000007
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
周囲を囲ってかご室を形成するパネル本体と、
このパネル本体の前記かご室の外側の面である裏面に前記パネル本体の一端部から他端部にわたって延びて設けられ前記パネル本体を補強する補強部材と、を備え、
前記パネル本体の、前記一端部及び前記他端部には、前記裏面側に折返された、第１の折返し部及び第２の折返し部が形成され、
前記補強部材の一端部または前記第１の折返し部の一方には、第１のフックが形成され、
前記補強部材の一端部または前記第１の折返し部の他方には、前記第１のフックが係止する第１の孔が形成され、
前記補強部材と前記パネル本体とは、両面テープにより接合される、
エレベーターの乗りかごパネル。
【請求項２】
前記補強部材の他端部または前記第２の折返し部の一方には、第２のフックが形成され、
前記補強部材の他端部または前記第２の折返し部の他方には、前記第２のフックが係止する第２の孔が形成されている請求項１に記載のエレベーターの乗りかごパネル。
【請求項３】
前記補強部材は、前記第１の折返し部から前記第２の折返し部に向かって延びて形成された溝部、及びこの溝部の両側にそれぞれ形成された第１の鍔部及び第２の鍔部を有する断面ハット形状であって、
前記第１のフックは、前記第１の鍔部の一端部に形成されている請求項１または２に記載のエレベーターの乗りかごパネル。
【請求項４】
前記第１のフックは、前記第２の鍔部の一端部にも形成されている請求項３に記載のエレベーターの乗りかごパネル。
【請求項５】
前記補強部材は、前記第１の折返し部から前記第２の折返し部に向かって延びて形成された溝部、及びこの溝部の両側に形成された第１の鍔部及び第２の鍔部を有する断面ハット形状であって、
前記第２のフックは、前記第１の鍔部の他端部に形成されている請求項２に記載のエレベーターの乗りかごパネル。
【請求項６】
前記第２のフックは、前記第２の鍔部の他端部にも形成されている請求項５に記載のエレベーターの乗りかごパネル。
【請求項７】
前記第１のフック及び前記第２のフックは、前記第１の折返し部と前記第２の折返し部とを結ぶ仮想線に対して傾斜し、かつ互いに平行に対向して前記第１の孔及び前記第２の孔にそれぞれ係止している請求項５または６に記載のエレベーターの乗りかごパネル。
【請求項８】
前記かご室での前記第１の折返し部は、前記第２の折返し部に対して上側にあり、
前記第１のフック及び前記第２のフックは、それぞれの先端部が下側に指向している請求項７に記載のエレベーターの乗りかごパネル。
【請求項９】
前記補強部材は、前記パネル本体の中間部に設けられている請求項１〜８の何れか１項に記載のエレベーターの乗りかごパネル。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
周囲を囲ってかご室を形成するパネル本体と、
このパネル本体の前記かご室の外側の面である裏面に前記パネル本体の一端部から他端部にわたって延びて設けられ前記パネル本体を補強する補強部材と、を備え、
前記パネル本体の、前記一端部及び前記他端部には、前記裏面側に折返された、第１の折返し部及び第２の折返し部が形成され、
前記補強部材の一端部または前記第１の折返し部の一方には、第１のフックが形成され、
前記補強部材の一端部または前記第１の折返し部の他方には、前記第１のフックが係止する第１の孔が形成され、
前記補強部材と前記パネル本体とは、両面テープにより接合される、
エレベーターの乗りかごパネル。
【請求項２】
前記補強部材の他端部または前記第２の折返し部の一方には、第２のフックが形成され、
前記補強部材の他端部または前記第２の折返し部の他方には、前記第２のフックが係止する第２の孔が形成されている請求項１に記載のエレベーターの乗りかごパネル。
【請求項３】
前記補強部材は、前記第１の折返し部から前記第２の折返し部に向かって延びて形成された溝部、及びこの溝部の両側にそれぞれ形成された第１の鍔部及び第２の鍔部を有する断面ハット形状であって、
前記第１のフックは、前記第１の鍔部の一端部に形成されている請求項１または２に記載のエレベーターの乗りかごパネル。
【請求項４】
前記第１のフックは、前記第２の鍔部の一端部にも形成されている請求項３に記載のエレベーターの乗りかごパネル。
【請求項５】
前記補強部材は、前記第１の折返し部から前記第２の折返し部に向かって延びて形成された溝部、及びこの溝部の両側に形成された第１の鍔部及び第２の鍔部を有する断面ハット形状であって、
前記第２のフックは、前記第１の鍔部の他端部に形成されている請求項２に記載のエレベーターの乗りかごパネル。
【請求項６】
前記第２のフックは、前記第２の鍔部の他端部にも形成されている請求項５に記載のエレベーターの乗りかごパネル。
【請求項７】
前記第１のフック及び前記第２のフックは、前記第１の折返し部と前記第２の折返し部とを結ぶ仮想線に対して傾斜し、かつ互いに平行に対向して前記第１の孔及び前記第２の孔にそれぞれ係止している請求項５または６に記載のエレベーターの乗りかごパネル。
【請求項８】
前記かご室での前記第１の折返し部は、前記第２の折返し部に対して上側にあり、
前記第１のフック及び前記第２のフックは、それぞれの先端部が下側に指向している請求項７に記載のエレベーターの乗りかごパネル。
【請求項９】
前記補強部材は、前記パネル本体の中間部に設けられている請求項１〜８の何れか１項に記載のエレベーターの乗りかごパネル。
【請求項１０】
パネル本体の一端部及び他端部を、前記パネル本体の裏面側に折返して、第１の折返し部及び第２の折返し部を形成し、
補強部材の一端部及び他端部に、前記第１の折返し部と前記第２の折返し部とを結ぶ仮想線に対して同方向に傾斜し、かつ互いに平行な、前記補強部材の裏面側に突出する第１のフック及び第２のフックを形成し、
前記第１の折返し部及び前記第２の折返し部に、それぞれ前記第１のフックが係止する第１の孔及び前記第２のフックが係止する第２の孔を形成し、
前記補強部材の裏面に両面テープを貼り付け、
前記補強部材の前記第１のフックの先端部を、前記第１の孔に合せるとともに、前記補強部材の前記第２のフックの先端部を、前記第２の孔に合わせ、
前記補強部材を、前記第１のフック及び前記第２のフックの傾斜に沿って移動させ、
前記補強部材を前記パネル本体の裏面に位置決めするとともに、前記両面テープによって前記パネル本体に接合する、
乗りかごパネルの補強部材接合方法。
【国際調査報告】
2017022075.tif 000008
2017022075.tif 000009
2017022075.tif 000010
2017022075.tif 000011